(57)【要約】【課題】特に水の給排水が容易な多層構造を有する水貯蔵装置を提供する。【解決手段】本発明によれば、上下方向に延長された延長軸線に沿って順に積載された多数の積層ユニットを含み、前記積層ユニットは、排水孔が設けられた第１空間を有する前記延長軸線上に位置する連結部を備え、前記多数の積層ユニットのうち少なくとも１つは、前記連結部の前記延長軸線に対する半径方向の外側に位置し、水が貯蔵される空間を有する貯蔵部をさらに含む貯蔵ユニットであり、前記貯蔵ユニットは、前記貯蔵空間の水が前記第１空間に排出されるように設けられた排出通路を備える多層構造の水貯蔵装置が提供される。【選択図】図１
2010094026.tif 000002
【特許請求の範囲】
【請求項１】
上下方向に延長された延長軸線に沿って順に積載された多数の積層ユニットを含み、前記積層ユニットは、排水孔が設けられた第１空間を有する前記延長軸線上に位置する連結部を備え、
前記多数の積層ユニットのうち少なくとも１つは、前記連結部の前記延長軸線に対する半径方向外側に位置し、水が貯蔵される空間を有する貯蔵部をさらに含む貯蔵ユニットであり、
前記貯蔵ユニットは、前記栽培空間の水が前記第１空間に排出されるように設けられた排出通路を備えることを特徴とする多層構造の水貯蔵装置。
【請求項２】
前記貯蔵ユニットの連結部には、前記第１空間から分離された第２空間が設けられ、前記貯蔵ユニットは、前記第２空間の水が前記貯蔵空間に流入されるように設けられた流入通路を備え、前記貯蔵ユニットの第２空間に外部の水が供給されることを特徴とする請求項１に記載の多層構造の水貯蔵装置。
【請求項３】
前記貯蔵空間は、前記延長軸線の円周方向に沿って配置された２つ以上の単位貯蔵領域を備え、隣り合う単位貯蔵領域に水が流入されるように形成された連結通路を備えることによって、水が前記貯蔵空間内で前記延長軸線を中心にして回転しながら流れることを特徴とする請求項２に記載の多層構造の水貯蔵装置。
【請求項４】
前記貯蔵ユニットの貯蔵空間は、前記連結部の一側に位置し、前記貯蔵ユニットは、前記貯蔵空間が上下方向に沿って左右に交互に位置するように２つ以上が設置されることを特徴とする請求項２に記載の多層構造の水貯蔵装置。
【請求項５】
前記貯蔵ユニットの貯蔵空間は、前記連結部の一側に位置し、前記貯蔵ユニットは、前記貯蔵空間が上下方向に沿って螺旋状で位置するように３つ以上が設置されることを特徴とする請求項２に記載の多層構造の水貯蔵装置。
【請求項６】
前記積層ユニットのうち前記貯蔵ユニットの上部に位置する積層ユニットは、前記貯蔵ユニットの貯蔵空間に水を供給する給水ユニットであることを特徴とする請求項１に記載の多層構造の水貯蔵装置。
【請求項７】
前記給水ユニットは、下部に行くほど外側に傾斜した傾斜部を有する外壁を備え、前記給水ユニットの排水孔は、前記外壁の外側面と連通することを特徴とする請求項６に記載の多層構造の水貯蔵装置。
【請求項８】
前記延長軸線に沿って延長された柱をさらに含み、前記積層ユニットの連結部は、前記柱が嵌挿される通路をさらに備えることを特徴とする請求項１に記載の多層構造の水貯蔵装置。
【請求項９】
前記多数の積層ユニットのうち最も下部に位置する積層ユニットから排水される水が貯蔵される内部空間が設けられ、前記柱を支持する基台をさらに含むことを特徴とする請求項８に記載の多層構造の水貯蔵装置。
【請求項１０】
前記基台の内部に貯蔵された水を上部に移送し、前記多数の積層ユニットのうちいずれか１つに提供するポンプをさらに含むことを特徴とする請求項９に記載の多層構造の水貯蔵装置。
【請求項１１】
前記ポンプは、前記基台の内部に貯蔵された水を前記多数の積層ユニットのうち最も上部に位置する積層ユニットに提供することを特徴とする請求項１０に記載の多層構造の水貯蔵装置。
【請求項１２】
前記柱の内部に収容されて上下に延長された移送管をさらに含み、前記ポンプは、前記移送管を介して水を上部に移送させることを特徴とする請求項１０に記載の多層構造の水貯蔵装置。
【請求項１３】
前記柱に設置される照明器具をさらに含むことを特徴とする請求項８に記載の多層構造の水貯蔵装置。
【請求項１４】
前記柱の内部に前記照明器具と連結される電線が収容されることを特徴とする請求項１３に記載の多層構造の水貯蔵装置。
【請求項１５】
前記貯蔵空間に分離可能に設置される中空型柱形状の植物栽培用栽培キットをさらに含むことを特徴とする請求項１に記載の多層構造の水貯蔵装置。
【請求項１６】
前記栽培キットは、上下に配置される多数の環状部材と、前記環状部材を連結するように上下に延長された多数の連結部材とを備えることを特徴とする請求項１５に記載の多層構造の水貯蔵装置。
【請求項１７】
前記貯蔵ユニットは、上部から水が流入される第２空間が設けられた追加連結部をさらに備え、前記貯蔵部は、前記連結部と追加連結部との間に長く延長されることを特徴とする請求項１に記載の多層構造の水貯蔵装置。
【請求項１８】
前記貯蔵ユニットは、追加連結部をさらに備え、前記貯蔵部は、前記連結部と追加連結部との間に長く延長され、前記貯蔵部の水が通過し得るように連結された平行な２つのカラムを備え、前記２つのカラム間を分離する壁が設けられることを特徴とする請求項２に記載の多層構造の水貯蔵装置。
【請求項１９】
前記貯蔵空間には、水がジグザグ状に流れることができるように設けられた分割壁が備えられることを特徴とする請求項１７又は１８に記載の多層構造の水貯蔵装置。
【請求項２０】
前記延長軸線に沿って積層された胴体ユニットをさらに備え、前記胴体ユニットは、柱部と、前記柱部から延長されたガイド部と、水が排出される排水孔が設けられた収容部とを含み、前記積層ユニットは、前記胴体ユニットのガイド部に嵌挿されることができる挿入溝を備えることを特徴とする請求項２に記載の多層構造の水貯蔵装置。
【請求項２１】
水の移動経路上の壁面に光触媒物質がコーティングされたことを特徴とする請求項１乃至２０のいずれかに記載の多層構造の水貯蔵装置。
【請求項２２】
前記光触媒物質は、ＴｉＯＮ混合物であることを特徴とする請求項２１に記載の多層構造の水貯蔵装置。
【請求項２３】
前記ＴｉＯＮ混合物は、銀ナノまたは白金ナノをさらに含有することを特徴とする請求項２２に記載の多層構造の水貯蔵装置 。
【請求項２４】
排水孔が設けられた第１空間を備える連結部と、
前記連結部の側面外側に位置し、水が貯蔵される貯蔵空間が設けられた貯蔵部と、
前記貯蔵空間の水が前記第１空間に排出されるように設けられた排出通路と、
を含むことを特徴とする貯蔵ユニット。
【請求項２５】
前記貯蔵空間は、前記連結部を中心にして円周方向に沿って配置された２つ以上の単位貯蔵領域を備えて、隣り合う単位貯蔵領域に水が流入されるように形成された連結通路を備えることを特徴とする請求項２４に記載の貯蔵ユニット。
【請求項２６】
前記連結部には、前記第１空間から分離された第２空間が設けられ、前記第２空間の水が前記貯蔵空間に流入されるように設けられた流入通路をさらに備えることを特徴とする請求項２４に記載の貯蔵ユニット。
【請求項２７】
前記連結部は、前記排水孔が設けられた底部と、前記底部から上部に延長された側壁と、前記第１空間と前記第２空間とを分離する分離壁と、を備えることを特徴とする請求項２６に記載の貯蔵ユニット。
【請求項２８】
前記分離壁は、前記底部から上部に延長されたことを特徴とする請求項２７に記載の貯蔵ユニット。
【請求項２９】
前記分離壁は、前記第１空間が前記第２空間より小さくなるように一側に偏って位置し、前記排水孔は、前記第１空間の底部で前記分離壁の中間部分に対応する箇所に位置することを特徴とする請求項２８に記載の貯蔵ユニット。
【請求項３０】
前記連結部の底部は、ほぼ正四角形状であることを特徴とする請求項２９に記載の貯蔵ユニット。
【請求項３１】
前記連結部は、中心部を通る通路が形成された通路柱をさらに備え、前記通路柱は、前記分離壁を基準にして前記第２空間が設けられる側に位置することを特徴とする請求項３０に記載の貯蔵ユニット。
【請求項３２】
前記通路柱の通路の断面形状は、四角形であることを特徴とする請求項３１に記載の貯蔵ユニット。
【請求項３３】
前記分離壁は、前記第１空間及び前記第２空間が各々下部及び上部に位置するようにほぼ水平に設置されることを特徴とする請求項２７に記載の貯蔵ユニット。
【請求項３４】
前記栽培部及び前記連結部は、各々円筒状であることを特徴とする請求項３３に記載の貯蔵ユニット。
【請求項３５】
前記連結部は、中心部を通る通路が形成された通路柱をさらに備えることを特徴とする請求項３４に記載の貯蔵ユニット。
【請求項３６】
前記通路柱の通路の断面形状は、円形であることを特徴とする請求項３４に記載の貯蔵ユニット。
【請求項３７】
前記連結部は、中心部を通る通路が形成された通路柱をさらに備え、前記通路柱の一側は、開放されたことを特徴とする請求項２７に記載の貯蔵ユニット。
【請求項３８】
前記連結部の底部には、前記第１空間または前記第２空間に嵌挿されるように突出された突起が設けられたことを特徴とする請求項３２に記載の貯蔵ユニット。
【請求項３９】
前記連結部の底部には、下部に突出した突出部が設けられ、前記連結部は、前記第１空間及び第２空間を覆い、前記突出部が嵌挿されるカバーをさらに備えることを特徴とする請求項２７に記載の貯蔵ユニット。
【請求項４０】
前記連結部の底部には、下部に突出した３つ以上の結合用突出部を備えることを特徴とする請求項２４乃至３９のいずれかに記載の貯蔵ユニット。
【請求項４１】
前記突出部は、外側に延長された突起を備えることを特徴とする請求項４０に記載の貯蔵ユニット。
【請求項４２】
前記排出通路は、分離可能な高さ調節壁に高さが調節されるように形成されることを特徴とする請求項２４乃至３９のいずれかに記載の貯蔵ユニット。
【請求項４３】
前記連結部の底部には、下方に突出した突出部が備えられ、前記連結部の側壁は、前記通路柱の開放された一側の開放部分で傾斜するように角が形成されることを特徴とする請求項３７に記載の貯蔵ユニット。
【請求項４４】
前記傾斜した角は、６０度であることを特徴とする請求項４３に記載の貯蔵ユニット。
【発明の詳細な説明】
【技術分野】
【０００１】
本発明は、水貯蔵装置に関し、特に水の給排水が容易な多層構造を有する水貯蔵装置に関する。
【背景技術】
【０００２】
水耕栽培などに使われる従来の多層構造を有する水貯蔵装置は、上下に配置され、栽培部としての役目をする多数の水貯蔵部と、最上部の水貯蔵部に水を供給し、水が下方の水貯蔵部に順次供給されるようにする給排水構造とを備える。このような従来の構造は、上層の貯蔵部と下層の貯蔵部とを単純に連結する給排水構造を有するので、層が多くなれば、層間を各々連結しなければならないので、設置が面倒であり、外形も非常に制限的である。
【発明の開示】
【発明が解決しようとする課題】
【０００３】
本発明の目的は、単純な構造の多層水貯蔵装置を提供することにある。
【０００４】
本発明の他の目的は、給排水構造が単純な多層構造の水貯蔵装置を提供することにある。
【０００５】
本発明のまた他の目的は、設置が容易な多層構造の水貯蔵装置を提供することにある。
【０００６】
本発明のさらに他の目的は、多様な形状を有する多層構造の水貯蔵装置を提供することにある。
【０００７】
本発明のさらに他の目的は、植物栽培の機能をし、水質安定及び空気浄化の効果が高い多層構造の水貯蔵装置を提供することにある。
【０００８】
本発明のさらに他の目的は、設置が容易な多層構造の水貯蔵装置用の貯蔵ユニットを提供することにある。
【０００９】
本発明のさらに他の目的は、水の給排水が容易な多層構造の水貯蔵装置用の貯蔵ユニットを提供することにある。
【００１０】
本発明のさらに他の目的は、水の高さ調節が容易な多層構造の水貯蔵装置用の貯蔵ユニットを提供することにある。
【課題を解決するための手段】
【００１１】
本発明の一側面によると、上下方向に延長された延長軸線に沿って順に積載された多数の積層ユニットを含み、前記積層ユニットは、排水孔が設けられた第１空間を有する前記延長軸線上に位置する連結部を備え、前記多数の積層ユニットのうち少なくとも１つは、前記連結部の前記延長軸線に対する半径方向外側に位置し、水が貯蔵される空間を有する貯蔵部をさらに含む貯蔵ユニットであり、前記貯蔵ユニットは、前記栽培空間の水が前記第１空間に排出されるように設けられた排出通路を備える多層構造の水貯蔵装置が提供される。
【００１２】
前記貯蔵ユニットの連結部には、前記第１空間から分離された第２空間が設けられ、前記貯蔵ユニットは、前記第２空間の水が前記貯蔵空間に流入されるように設けられた流入通路を備え、前記貯蔵ユニットの第２空間に外部の水が供給されてもよい。
【００１３】
前記貯蔵ユニットは、前記延長軸線の円周方向に沿って配置された２つ以上の単位貯蔵領域を備え、隣り合う単位貯蔵領域に水が流入されるように形成された連結通路を備えることによって、水が前記貯蔵空間内で前記延長軸線を中心として回転しながら流れることができる。
【００１４】
前記貯蔵ユニットの貯蔵空間は、前記連結部の一側に位置し、前記貯蔵ユニットは、前記貯蔵空間が上下方向に沿って左右に交互に位置するように２つ以上が設置されてもよい。
【００１５】
前記貯蔵ユニットの貯蔵空間は、前記連結部の一側に位置し、前記貯蔵ユニットは、前記貯蔵空間が上下方向に沿って螺旋状に位置するように３つ以上が設置されてもよい。
【００１６】
前記積層ユニットのうち前記貯蔵ユニットの上部に位置する積層ユニットは、前記貯蔵ユニットの貯蔵空間に水を供給する給水ユニットであってもよい。
【００１７】
前記給水ユニットは、下部に行くほど外側に傾斜した傾斜部を有する外壁を備え、前記給水ユニットの排水孔は、前記外壁の外側面と連通することができる。
【００１８】
前記多層構造の水貯蔵装置は、前記延長軸線に沿って延長された柱をさらに含み、前記積層ユニットの連結部は、前記柱が嵌挿される通路をさらに備えることができる。
【００１９】
前記多層構造の水貯蔵装置は、前記多数の積層ユニットのうち最も下部に位置する積層ユニットから排水される水が貯蔵される内部空間が設けられ、前記柱を支持する基台をさらに含むことができる。
【００２０】
前記多層構造の水貯蔵装置は、前記基台の内部に貯蔵された水を上部に移送し、前記多数の積層ユニットのうちいずれか１つに提供するポンプをさらに含むことができる。
【００２１】
前記ポンプは、前記基台の内部に貯蔵された水を前記多数の積層ユニットのうち最も上部に位置する積層ユニットに提供することができる。
【００２２】
前記多層構造の水貯蔵装置は、前記柱の内部に収容されて上下に延長された移送管をさらに含み、前記ポンプは、前記移送管を介して水を上部に移送させることができる。
【００２３】
前記多層構造の水貯蔵装置は、前記柱に設置される照明器具をさらに含むことができる。
【００２４】
前記柱の内部に前記照明器具と連結される電線が収容されることができる。
【００２５】
前記多層構造の水貯蔵装置は、前記貯蔵空間に分離可能に設置される中空型柱形状の植物栽培用栽培キットをさらに含むことができる。
【００２６】
前記栽培キットは、上下に配置される多数の環状部材と、前記環状部材を連結するように上下に延長された多数の連結部材とを備えることができる。
【００２７】
前記貯蔵ユニットは、上部から水が流入される第２空間が設けられた追加連結部をさらに備え、前記貯蔵部は、前記連結部と追加連結部との間に長く延長されることができる。
【００２８】
前記貯蔵ユニットは、追加連結部をさらに備え、前記貯蔵部は、前記連結部と追加連結部との間に長く延長され、前記貯蔵部の水が通過し得るように連結された平行な２つのカラムを備え、前記２つのカラム間を分離する壁が設けられることができる。
【００２９】
前記貯蔵空間には、水がジグザグ状に流れることができるように設けられた分割壁が備えられることができる。
【００３０】
前記多層構造の水貯蔵装置は、前記延長軸線に沿って積層された胴体ユニットをさらに備え、前記胴体ユニットは、柱部と、前記柱部から延長されたガイド部と、水が排出される排水孔が設けられた収容部とを含み、前記積層ユニットは、前記胴体ユニットのガイド部に嵌挿されることができる挿入溝を備えることができる。
【００３１】
水の移動経路上の壁面に光触媒物質がコーティングされることができる。
【００３２】
前記光触媒物質は、ＴｉＯＮ混合物であることができる。
【００３３】
前記ＴｉＯＮ混合物は、銀ナノまたは白金ナノをさらに含有することができる。
【００３４】
本発明の他の側面によると、排水孔が設けられた第１空間を備える連結部と、前記連結部の側面外側に位置し、水が貯蔵される貯蔵空間が設けられた貯蔵部と、前記栽培空間の水が前記第１空間に排出されるように設けられた排出通路と、を含む植物栽培用の貯蔵ユニットが提供される。
【００３５】
前記貯蔵ユニットは、前記連結部を中心にして円周方向に沿って配置された２つ以上の単位貯蔵領域を備えて、隣り合う単位貯蔵領域に水が流入されるように形成された連結通路を備えることができる。
【００３６】
前記連結部には、前記第１空間から分離された第２空間が設けられ、前記第２空間の水が前記貯蔵空間に流入されるように設けられた流入通路をさらに備えることができる。
【００３７】
前記連結部は、前記排水孔が設けられた底部と、前記底部から上部に延長された側壁と、前記第１空間と前記第２空間とを分離する分離壁と、を備えることができる。
【００３８】
前記分離壁は、前記底部から上部に延長されることができる。
【００３９】
前記分離壁は、前記第１空間が前記第２空間より小さくなるように一側に偏って位置し、前記排水孔は、前記第１空間の底部で前記分離壁の中間部分に対応する箇所に位置することができる。
【００４０】
前記連結部の底部は、ほぼ正四角形形状であることもできる。
【００４１】
前記連結部は、中心部を通る通路が形成された通路柱をさらに備え、前記通路柱は、前記分離壁を基準にして前記第２空間が設けられる側に位置することができる。
【００４２】
前記通路柱の通路の断面形状は、四角形であることもできる。
【００４３】
前記分離壁は、前記第１空間及び前記第２空間が各々下部及び上部に位置するようにほぼ水平に設置されることができる。
【００４４】
前記栽培部及び前記連結部は、各々円筒状であることもできる。
【００４５】
前記連結部は、中心部を通る通路が形成された通路柱をさらに備えることができる。
【００４６】
前記通路柱の通路の断面形状は、円形であることもできる。
【００４７】
前記連結部は、中心部を通る通路が形成された通路柱をさらに備え、前記通路柱の一側は、開放されることもできる。
【００４８】
前記連結部の底部には、前記第１空間または前記第２空間に嵌挿されるように突出された突起が設けられることができる。
【００４９】
前記連結部の底部には、下部に突出した突出部が設けられ、前記連結部は、前記第１空間及び第２空間を覆い、前記突出部が嵌挿されるカバーをさらに備えることができる。
【００５０】
前記連結部の底部には、下部に突出した３つ以上の結合用突出部を備えることができる。
【００５１】
前記突出部は、外側に延長された突起を備えることができる。
【００５２】
前記排出通路は、分離可能な高さ調節壁に高さが調節されるように形成されることができる。
【００５３】
前記連結部の底部には、下方に突出した突出部が備えられ、前記連結部の側壁は、前記通路柱の開放された一側の開放部分で傾斜するように角が形成されることができる。
【００５４】
前記傾斜した角は、６０度であることができる。
【発明の効果】
【００５５】
本発明の構成によると、上述した本発明の目的を全て達成することができる。具体的には、柱に複数の貯蔵ユニットと連結ユニットを挟んで設置するだけで、給排水が可能であるので、設置が極めて容易である。また、貯蔵ユニットを螺旋状等の様々な形状で配置することが可能であるので、飾り効果に優れる。また、光触媒ビーズが備えられるので、水質安定及び空気浄化の効果が極めて優れる。また、給排水が容易な構造を有するので、地下や密閉型事務室等の光が入らない空間でも、容易に園芸を楽しむことができる。また、光触媒物質の殺菌作用によって植物がさらによく育つようになる。
【発明を実施するための最良の形態】
【００５６】
以下、図面を参照して本発明の多様な実施例を詳細に説明する。
【００５７】
図１及び図２を参照すれば、水貯蔵装置１０は、植物栽培用に利用するものであり、基台２０と、基台２０から延長軸線１１０に沿って上部に延長された柱５０と、柱５０に嵌挿された多数の積層ユニット３０、４０とを備える。多数の積層ユニット３０、４０は、植木鉢ユニットとして機能する多数の貯蔵ユニット３０及び多数の連結ユニット４０を備える。
【００５８】
以下、貯蔵ユニット３０は、その機能に合わせて植木鉢ユニットとして記述する。基台２０は、底板２２と、底板２２と対向する上板２４と、底板２２と上板２４とを連結する側壁２６とを備える。上板２２の中心部には、柱５０がうまく合って嵌挿され得るように設けられた挿入通路２３が設けられる。挿入通路２３を介して嵌挿された柱５０は、底板２２に固定される。挿入通路２３は、柱５０の形状に合うように四角形の形状を有する。挿入通路２３の周囲には、挿入通路２３を取り囲む収容溝２５が設けられる。収容溝２５と基台２０の内部空間２１とは、連結通路２７を介して互いに連通する。収容溝２５には、柱５０に嵌挿された最下端の連結ユニット４０の後述する挿入部４９が嵌挿される。基台２０の内部空間２１には、水中ポンプ６０が設置される。水中ポンプ６０は、基台２０の内部空間２１に貯蔵された水を移送管５６を介して上部に移送させる。基台２０の内部空間２１には、水と共に光触媒ビーズ７０が貯蔵される。光触媒ビーズ７０は、可視光光触媒、銀ナノと白金ナノとの混合物をガラスビーズにコーティングしたものである。
【００５９】
可視光光触媒は、光をエネルギーとして利用して活性化された電子−正孔の対を発生させ、電子−正孔の対は、強力な酸化剤であるハイドロキシルラジカルと酸素陰イオンを発生させて各種有機物、苔類などを酸化分解する。銀ナノ粒子は、抗菌作用をする。本実施例では、可視光光触媒として酸化窒化チタニウム（ＴｉＯＮ）を使用する。光触媒ビーズ７０により大気浄化と強力な抗菌、脱臭、静水、防汚（pollution-proof）機能を有し、視覚的にもデコレーション効果があり、ディスプレイに大きい効果を示すことができ、植物１０３がさらによく育つ。光触媒物質がビーズ７０にコーティングされるものだけでなく、積層ユニット３０、４０及び柱５０で水が移動する経路上の壁面にコーティングされて使用される。
【００６０】
柱５０は、四角柱形状であり、基台２０から延長軸線１１０に沿って上部に長く延長される。柱５０の下端は、基台２０の底板２２に固定される。柱５０は、中空型であり、内部通路を介してポンプ６０から延長された移送管５６及び／または電線（図示せず）などが通る。
【００６１】
多数の植木鉢ユニット３０と多数の連結ユニット４０は、上下方向に沿って交互に配置される。植木鉢ユニット３０と連結ユニット４０は、本発明の積層ユニットを形成する。図３乃至図６を参照すれば、植木鉢ユニット３０は、水貯蔵空間である栽培空間３１を有する栽培部（貯蔵部）３２と、連結ユニット（図２の４０）と連結される連結部３４とを備える。栽培部３２は、四角形の底板３２１と、底板３２１から延長された４つの側壁３２２とを備える。底板３２１には、栽培キット１００が嵌挿されて固定され得るように突出した円形の突出部３２３が設けられる。
【００６２】
図９を共に参照すれば、栽培キット１００は、略円筒状であり、上下に配置される多数の円輪状部１０１と、前記多数の円輪状部１０１を連結するように上下に延長される多数の支持台１０２とを備える。栽培キット１００の内部に栽培される植物（図２の１０３）が位置し、栽培キット１００の内部に麦飯石及び／またはハイドロボールが満たされて植物１０３を固定させることができる。栽培空間３１において栽培キット１００の外側部分は、光触媒ビーズ７０で満たされる。４つの側壁３２２のうち１つには、両側に流入通路３３及び排出通路３５が設けられる。排出通路３５の上下位置によって栽培空間３１の水高さが変わることができる。流入通路３３は、連結部３４の後述する第２空間３６と連通し、排出通路３５は、連結部３４の後述する第１空間３８と連通する。
【００６３】
連結部３４は、栽培部３２の流入通路３３と排出通路３５が形成された側壁３２２の側部に位置し、正四角形状の底板３４１と、底板３４１から延長された４つの側壁３４２と、底板３４１の中心を通り、上下に延長され、正四角形の通路３７が形成された挿入柱３９と、底板３４１から上部に延長された内部の分離壁３４３とを備える。底板３４１は、栽培部３２の側壁３２２と垂直をなす。底板３４１には、後述する第１空間３８と連通する排水孔３４４が設けられる。排水孔３４４は、挿入柱３９のすぐ側部に位置する。底板３４１の下部には、内側に排水孔３４４が含まれるように挿入柱３９の通路３８を取り囲む突出した突出部３４５を備える。
【００６４】
突出部３４５は、連結部３４の第２空間３６と第１空間３８の上部に嵌着され得る形態で形成される。４つの側壁３４２のうち１つは、栽培部３２の側壁３２２のうち流入通路３３と排出通路３５が形成された側壁であり、２つは、栽培部３２の対向する２つの側壁から延長されたものである。挿入柱３９の内部に形成された四角通路３９に柱５０が嵌着される。分離壁３４３は、連結部３４の内部を第２空間３６と第１空間３８とに分離し、流入通路３３と排出通路３５が形成された側壁３２２と直角をなす。分離壁３４３は、挿入柱３９の一方の側壁３９１の壁面上に位置する。分離壁３４３の上端は、挿入柱３９と連結部３４の４つの側壁３４４より低く形成されるが、これは、連結部３４の上部に突出部３４５が入ることができる空間を提供するためである。植木鉢ユニットは、水茎栽培だけでなく、挿し木またはその他土を満たして植物を栽培する花粉として使われることもできる。
【００６５】
図７及び図８を参照すれば、連結ユニット４０は、植木鉢ユニット（図３の３０）の連結部３４と同じ構成であるから、連結ユニット４０の構成に関する詳細な説明は省略する。連結ユニット４０は、植木鉢ユニット３０の連結部３４と連結され、植木鉢ユニット３０の連結部３４の上下長さを長くする役目をする。すなわち、連結ユニット４０により植木鉢ユニット３０の連結部３４がさらに長くなったものと考えることができる。したがって、連結ユニット４０は、上下に位置する２つの植木鉢ユニット３０を中間に連結する役目をするものである。柱５０に設置された多数の植木鉢ユニット３０は、栽培部３２が螺旋状で配置されるように９０度ずつねじれて設置される。この時、上下に位置する隣接する２つの植木鉢ユニット３０の関係が図１０に概略的に示されている。図１０を参照すれば、上部に位置する植木鉢ユニット３０ａは、実線で示されており、下部に位置する植木鉢ユニット３０ｂは、波線で示されている。上部に位置する植木鉢ユニット３０ａの第１空間３８ａの排水孔３４４ａは、下部に位置する植木鉢ユニット３０ｂの第２空間３６ｂと自然的に連通するようになる。
【００６６】
以下、図１、図２及び図１０を参照して前記実施例の作用を詳細に説明する。
【００６７】
基台２０の内部空間２１に貯蔵された水は、水中ポンプ６０により柱５０の内部に設置された移送管５６に沿って上部に移送される。移送された水は、最も上部に位置する植木鉢ユニット３０ａの第２空間３６ａに供給され、第２空間３６ａを満たすようになる。第２空間３６ａの水は、流入通路３３ａを介して栽培空間３１ａに供給され、栽培空間３１ａは、水で満たされるようになる。栽培空間３１ａの水高さは、排出通路３５ａの位置によって決定される。栽培空間３１ａの水は、排出通路３５ａを介して第１空間３８ａに供給され、第１空間３８ａに供給された水は、第１空間３８ａの底部に設けられた排水孔３４４ａを介してずく下部に位置する連結ユニット４０に供給される。連結ユニット４０に供給された水は、すぐ下部に位置する植木鉢ユニット３０ｂの第２空間３６ｂに供給される。このような過程を通じて、水は、最も下部に位置する連結ユニット３０まで移動した後、最終的に基台２０の内部空間２１にさらに戻る。この過程で、水は、全ての植木鉢ユニット３０の栽培空間３１に供給され、絶え間なく継続して循環するようになる。また、光触媒ビーズ７０により大気浄化と強力な抗菌、脱臭、静水、防汚の機能を有し、視覚的にもデコレーション効果があり、ディスプレイに大きい効果を示すことができる。また、光触媒物質の殺菌作用により植物がさらによく育つようになる。
【００６８】
前記実施例では、植木鉢ユニットに栽培部が１つずつ備えられるものとして説明したが、本発明は、これに限定されるものではない。連結部の周囲に多数の栽培部をさらに構成することもできる。
【００６９】
また、前記実施例では、２つの植木鉢ユニット間に連結ユニットが設置されるものとして説明したが、本発明は、これに限定されるものではない。連結ユニットを設置することなく２つの植木鉢ユニットを直接連結することができる。
【００７０】
そして、前記実施例では、植木鉢ユニットの栽培部が連結部よりさらに長いものとして説明したが、本発明は、これに限定されるものではない。栽培される植物によって連結部の長さが栽培部より長く形成されることができる。
【００７１】
また、植木鉢ユニット３０で流入通路３３と排出通路３５が形成された側壁３２１が固定されるものとして説明したが、この側壁をスライド方式で分離することができるようにして、流入通路３３と排出通路３５の位置を互いに変えて水位を調節することもできる。
【００７２】
図１１乃至図１４は、本発明の植木鉢ユニットの他の実施例を示す図である。図１１乃至図１４を参照すれば、植木鉢ユニット３０ｃの連結部３４ｃは、通路柱３９ｃを間に置いて両側に第２空間３６ｃと第１空間３８ｃが形成される。このような構造は、栽培部３２ｃを図１１と図１４に示すように両側に配置するためである。図１４を参照すれば、上部に位置する植木鉢ユニット３０ｃの排水孔３４４ｃが下部に位置する植木鉢ユニット３０ｄの第２空間３６ｄと連通するようになる。
【００７３】
図１５及び図１６は、本発明の植木鉢ユニットのさらに他の実施例を示す図である。図１５及び図１６を参照すれば、植木鉢ユニット３０ｅは、円筒状の栽培部３２ｅと円筒状の連結部３４ｅとを備える。通路柱３９ｅは、円筒状であり、通路３７ｅに嵌着される柱（図示せず）は、円柱状である。連結部３４ｅの内部空間は、分離壁３４３ｅにより上下に位置する第２空間３６ｅと第１空間３８ｅとに分離される。各空間３６ｅ、３８ｅは、通路柱３９ｅを取り囲む環状からなる。第２空間３６ｅは、開口３３ｅを介して栽培部３２ｅの栽培空間３１ｅと連通する。栽培空間３１ｅは、排出通路３５ｅを介して第１空間３８ｅと連通する。第１空間３８ｅは、底部３４１ｅに形成された排水孔３４４ｅを介して下部に位置する植木鉢ユニット３０ｆの第２空間３６ｆと連通する。
【００７４】
図１７及び図１８を参照すれば、植木鉢ユニット３０ｇは、通路３７ｇの一側（栽培部３２ｇの反対側）が外部に開放される構造を有する。連結部３４ｇの底部下部には、一側コーナー部に突出部３４５ｇが設けられ、下部に位置する植木鉢ユニット３２ｇの第２空間３６ｇまたは第１空間３８ｇに嵌挿されるようになる。その他の構成は、図３乃至図６に示す実施例とほぼ同様なので、これに対する詳細な説明は省略する。
【００７５】
図１９及び図２０を参照すれば、植木鉢ユニット３０ｈは、通路３７ｈの内側部分３７１ｈが円弧状であり、連結部３４ｈがカバー３９２ｈで覆われている。カバー３９２ｈの４つのコーナー部には、挿入孔３９３ｈが形成され、連結部３４ｈの下端は、４つのコーナー部分に設けられた突出部３４５ｈが嵌挿される。このような構造の植木鉢ユニット３０ｈは、円形の柱５０ｈに使用するに適している。その他の構成は、図１７及び図１８に示された植木鉢ユニット３０ｇとほぼ同様なので、これに対する詳細な説明は省略する。
【００７６】
図２１を参照すれば、植木鉢ユニット３０ｊは、２つの栽培キット１００ｊが収容され得るように幅の広い栽培部３４ｊを備える。その他の構成は、図２０に示された実施例と同様である。
【００７７】
図２２を参照すれば、植木鉢ユニット３０ｋは、円筒状の栽培部３２ｋと円筒状の連結部３４ｋとを備える。連結部３４ｋには、垂直に立設された、すなわち底部（図示せず）とほぼ直角である分離壁３４３ｋを備える。連結部３４ｋの内部空間は、分離壁３４３ｋにより第２空間３６ｋと第１空間３８ｋとに分けられる。第２空間３６ｋと第１空間３８ｋは、各々流入通路３３ｋと排出通路３５ｋを介して栽培部３２ｋの栽培空間３１ｋと連通する。連結部３４ｋと連結される連結ユニット４０ｋは、円筒状であり、中心に円筒状の通路柱４５ｋが設けられる。
【００７８】
図２３を参照すれば、栽培部３２ｍが連結部３４ｍを間に置いて両側に形成される。その他の構成は、図２２に示された実施例と同様なので、これに対する詳細な説明は省略する。
【００７９】
図２４を参照すれば、栽培部３２ｐが連結部３４ｐから半径方向に長く延長され、栽培空間３１ｐの内部に多数（本実施例では３つ）の栽培キット１００ｐが設置されている。その他の構成は、図２２に示された実施例と同様なので、これに対する詳細な説明は省略する。
【００８０】
図２５を参照すれば、栽培部３２ｑが連結部３４ｑを間に置いて両側に形成され、各栽培部３２ｑが連結部３４ｑから半径方向に長く延長され、各栽培空間３１ｑの内部に多数（本実施例では２つ）の栽培キット１００ｑが設置されている。その他の構成は、図２４に示された実施例と同様なので、これに対する詳細な説明は省略する。
【００８１】
図２６を参照すれば、植物栽培装置１０ｒは、照明器具２００ｒを備える。照明器具２００ｒは、柱５０ｒの上端に設置され、図示してはいないが、柱の内部空間を介して連結された電線を介して電力を供給される。
【００８２】
図２７を参照すれば、本発明のさらに他の実施例に係る植木鉢ユニット８０が積層されている。植木鉢ユニット８０は、上下に位置する２植木鉢ユニット８０が９０度の角度をなすように螺旋状で配置される。図２８を参照すれば、流入通路８２と排出通路８４の高さは、容易に除去され得るように設けられた高さ調節壁８５により調節される。高さ調節壁８５の角部は、薄く形成されて手で容易に除去することができる。本実施例では、流入通路８２側には、高さ調節壁８５が除去された状態で、排出通路８４側には、高さ調節壁８５がそのまま残っている状態である。したがって、栽培部８６の水高さは、高さ調節壁８５の高さまで形成される。仮に排出通路８４側の高さ調節壁８５が除去されれば、栽培部８６の水高さは、高さ調節壁８５がない状態に低くなる。連結部８１は、ほぼ蹄形状であり、内部に第１空間８８が設けられた第１延長部８８１と、内部に第２空間８９が設けられた第２延長部８８２とを備える。本実施例では、高さ調節壁８５を取り外して制御する方式であると説明したが、本発明は、これに限定されるものではない。高さ調節壁８５は、スライド方式で移動し、溝に嵌挿されたり除去されるものでもよい。
【００８３】
底部の端部４つの部分には、各々下部に突出した第１、第２、第３、第４結合用突出部８１１、８１２、８１３、８１４が設けられる。各突出部８１１、８１２、８１３、８１４は、下部に位置する植木鉢ユニットの連結部の内部空間に嵌挿されて結合される。第１、第２突出部８１１、８１２は、第１空間８８の底部に位置し、第１突出部８１１は、栽培部８６に隣接し、第２突出部８１２は、第１延長部８８１の終端に位置する。第２突出部８１２に排水孔８３が位置する。第３、第４突出部８１３、８１４は、第２空間８９の底部に位置し、第３突出部８１３は、栽培部８６に隣接し、第４突出部８１４は、第２延長部８８２の終端に位置する。第３突出部８１３は、第４突出部８１３側に延長された突起８１３１を備える。この突起８１３１は、植木鉢ユニット８０が他の植木鉢ユニット８０と非正常的に結合することを防止する。すなわち、この突起８１３１は、排水孔を介して排水される水が下部の植木鉢ユニットの排水空間が設けられた第１空間に連結されることを防止する。これは、そのような状態になる時には、突起８１３１が第２延長部８８２で外壁に係止し、内側に挿入されないようにするからである。残りの位置では、自由に結合が可能になる。
【００８４】
図２９及び図３０を参照すれば、植木鉢ユニット８０ａの栽培部８６ａは、中心に位置する連結部８１ａの周りを取り囲むように形成される。栽培部８６ａは、連結部８１ａを中心にして円周方向に沿って順に配置された第１、第２、第３、第４栽培空間８６１ａ、８６２ａ、８６３ａ、８６４ａを備える。第１栽培空間８６１ａは、連結部８１ａの第２空間８９ａと連通する流入通路８２ａと、第２栽培空間８６２ａと連通する排出通路８４ａとを備える。流入通路８２ａと排出通路８４ａの構成は、図２７及び図２８の実施例と同様である。第２、第３、第４栽培空間８６２ａ、８６３ａ、８６４ａは、第１栽培空間８６１ａと同様の構成であり、第４栽培空間８６４ａの排出通路８４ａは、排水孔８３ａが設けられた第１空間８８ａと連通する。このような構成により、植木鉢ユニット８０ａに入った水は、円周方向に沿って配置された多数の栽培空間８６１ａ、８６２ａ、８６３ａ、８６４ａを順に循環して下部に排水される。
【００８５】
図３１を参照すれば、植木鉢ユニット８０ｅは、図３０に示す実施例とほぼ類似な形態である。植木鉢ユニット８０ｅの第１栽培空間８６１ｅと第２栽培空間８６２ｅとの間、第２栽培空間８６２ｅと第３栽培空間８６３ｅとの間、第３栽培空間８６３ｅと第４栽培空間８６４ｅとの間は、高さ調節壁８５ｅにより形成された通路を介して連結される。その他の構成は、図３０に示す実施例とほぼ同様である。
【００８６】
図３２を参照すれば、植木鉢ユニット８０ｆは、図３０に示す実施例で栽培空間８６１ｆが１つだけ形成された構成である。その他の構成は、図３０に示す実施例と同様である。
【００８７】
図３３と図３４を参照すれば、植木鉢ユニット８０ｂは、円周方向に略６０度間隔で配置された３つの第１、第２、第３空間８８ｂ、８９ｂ、９０ｂを有する連結部８１ｂを備える。第１空間８８ｂには、排水孔８３ｂと、栽培空間８６１ｂと連結された排出通路８４ｂが設けられる。第２空間８９ｂには、栽培空間８６１ｂと連結された流入通路８２ｂが設けられる。連結部８１ｂの底部には、第１、第２、第３空間８８ｂ、８９ｂ、９０ｂと各々対応する位置に下部に突出して形成された第１、第２、第３突出部８１１ｂ、８１２ｂ、８１３ｂが設けられる。第１突出部８１１ｂには、外側に突出した突起８１１１ｂが設けられる。突起８１１１ｂにより、第１突出部８１１ｂは、第２空間８１２ｂにだけ挿入されることができ、上下に位置する植木鉢ユニットが正しく結合されるようにする。すなわち、排水孔８３ｂを介して排水された水が第２空間８９ｂに供給されることができるように位置させる。
【００８８】
図３５と図３６の植木鉢ユニット８０ｃは、図３０に示す実施例と類似な実施例であり、円形の栽培空間８６１ｃが連結部８１ｃを中心にして円周方向に等間隔で３つ設けられる。
【００８９】
図３７を参照すれば、上から順に積層された給水ユニット９１ｄと、植木鉢ユニット８０ｄと、上部連結ユニット９２ｄと、下部連結ユニット９４ｄとが備えられる。図３７と図３８を参照すれば、植木鉢ユニット８０ｄは、中央の四角形の連結部８１ｄと、連結部８１ｄの周囲に形成された四角形の栽培部８６ｄとを備える。連結部８１ｄと栽培部８６ｄとは、排出通路８４ｄを介して連結される。連結部８１ｄの中心には、中心柱８２１ｄが設けられる。連結部８１ｄで中心柱８２１ｄの外側の部分が第１空間８８ｄを形成する。栽培部８６ｄの内部空間が水が流入される第１空間であり、栽培空間となる。第１空間８８ｄの底部には、排水孔８３ｄが設けられる。第１連結部８１ｄの底部の４つのコーナー部には、下部に突出した突出部８１１ｄが設けられる。突出部８１１ｄは、後述する上部連結ユニット９２ｄの上端にうまく合うように挿入されて結合される。
【００９０】
図３７と図３９を参照すれば、給水ユニット９１ｄは、四角形の支持板９１２ｄと、支持板９１２ｄの中心にして位置し、上部に延長された中空型の中心柱９１１ｄと、支持板９１２ｄの外郭から上部に延長された第１側壁９１３ｄと、支持板９１２ｄの外郭から下部に延長された第２側壁９１４ｄとを備える。支持板９１２ｄの下面には、植木鉢ユニット８０ｄの中心柱８２１ｄがうまく合うように嵌挿されるフランジ９１２１ｄが設けられる。第１側壁９１３ｄには、外部と連通する４つのスリット９１３１ｄが設けられる。第２側壁９１４ｄの外側面には、スリット９１３１ｄと連結され、下部に延長された水案内溝９１４１ｄが形成される。第２側壁９１４ｄの下部は、下方に行くほど外側に広くなるように傾斜する。上部から供給された水は、第１側壁９１３ｄの内部空間に流入され、この水は、スリット９１３１ｄを介して外部に排出され、排出された水は、水案内溝９１４１ｄに沿って流れ込まれ、植木鉢ユニット８０ｄの栽培部８６ｄに供給される。
【００９１】
図３７と図４０を参照すれば、上部連結ユニット９２ｄは、四角形の支持板９２１ｄと、支持板９２１ｄの中心に位置し、上下に延長された中心柱９２２ｄと、支持板９２１ｄの外側に位置し、上下に延長された外郭壁９２３ｄとを備える。支持板９２１ｄには、連結通路９２１１ｄが設けられ水が通過することができる。支持板９２１ｄの上部空間には、植木鉢ユニット８０ｄの突出部８１１ｄが挿入されて結合される。
【００９２】
図３７と図４１を参照すれば、下部連結ユニット９４ｄは、下端に位置する四角形の支持板９４１ｄと、支持板９４１ｄの中心に位置し、上下に延長された中心柱９４２ｄと、支持板９４１ｄの外側に位置し、上下に延長された外郭壁９２３ｄとを備える。支持板９２１ｄには、連結通路９４１１ｄが設けられ水が通過することができる。支持板９４１ｄの下面４つのコーナーには、突出部９４１２ｄが設けられ、給水ユニット９１ｄの上端にうまく合うように嵌挿されて結合される。下部連結ユニット９４ｄの上端には、上部連結ユニット９２ｄの下端がうまく合うように嵌挿されて結合される。
【００９３】
図４２乃至図４５を参照すれば、植木鉢ユニット８０ｅと、栽培キット１００ｅと、２つの連結ユニット９０ｅ、９２ｅとが備えられる。植木鉢ユニット８０ｅは、第１空間８８ｅが設けられた第１連結部８７ｅと、第２空間８９ｅが設けられた第２連結部８６ｅと、２つの連結部８６ｅ、８７ｅの間に２つの区切り壁８７３ｅ、８６３ｅによって形成された栽培空間８４ｅが設けられた栽培部８５ｅとを備える。第１連結部８７ｅと第２連結部８６ｅの対向する外壁は、それぞれ柱（図示せず）が挿入され得るように内側に凹設されている。第１連結部８７ｅの第１空間８８ｅと栽培部８５ｅの栽培空間８４ｅは、区切り壁８７３ｅに形成された上下に長細く延長された排出通路８８２ｅを通じて水が通過し得るように連結される。第１連結部８７ｅの第１空間８８ｅは、分離壁８７１ｅによって第１連結部８７ｅの内部の他の空間と分離される。第２連結部８６ｅの第２空間８９ｅと栽培部８５ｅの栽培空間８４ｅは、区切り壁８６３ｅに形成された上下に長細く延長された流入通路８１ｅを通じて水が通過し得るように連結される。第２連結部８６ｅの第２空間８４ｅは、分離壁８６１ｅによって第２連結部８６ｅの内部の他の空間と分離される。栽培部８５ｅは、水平方向に長く延長され、延長方向に沿って配置された多数の分割壁８２ｅによって多数の栽培区域８４１ｅに分離される。分割壁８２ｅは、一方の終端が左右に交互に開放されていて、水がジグザグ状に通過することができる。各栽培区域８４１ｅには、栽培キット１００ｅが嵌挿されて使用される。第１連結部８７ｅの第１空間８８ｅの底部には、排水孔８８１ｅが設けられる。排出通路８８２ｅには、栽培空間８４ｅの水位を調節し得るように設けられた水位調節部材８３ｅが挿入されている。水位調節部材８３ｅは、排出通路８８２ｅの高さを調節し得るように脱着が可能である。２つの連結部８６ｅ、８７ｅの底部には、下方に突出した突出部８８１ｅが設けられる。突出部８８１ｅが下方の連結ユニット９０ｅ、９２ｅに嵌挿され、結合を助ける。
【００９４】
２つの連結ユニット９０ｅ、９２ｅは、第１連結ユニット９０ｅ及び第２連結ユニット９２ｅである。第１連結ユニット９０ｅは、植木鉢ユニット８０ｅの第１連結部８７ｅと同一の構成であって、第１連結部８７ｅの下部に連結される。第１連結ユニット９０ｅの下部には、他の第１連結ユニット９０ｅまたは植木鉢ユニット８０ｅの第２連結部８６ｅが連結される。第２連結ユニット９２は、植木鉢ユニット８０ｅの第２連結部８６ｅと同一の構成であって、第２連結部８６ｅの下部に連結される。第２連結ユニット９２ｅの下部には、他の第２連結ユニット９２ｅまたは植木鉢ユニット８０ｅの第１栽培部８７ｅが連結される。
水は、植木鉢ユニット８０ｅの第２空間８９ｅに流入される。第２空間８９ｅに流入された水は、流入通路８１ｅを通じて栽培空間８４ｅに流入される。栽培空間８４ｅに流入された水は、各栽培区域８４１を経って排出通路８８２ｅを通じて第１空間８８ｅに流入される。第１空間８８ｅの水は、排水孔８８１ｅを通じて下部の第１連結ユニット９０ｅに流入される。第１連結ユニット９０ｅに流入された水は、他の第１連結ユニット９０ｅまたは他の植木鉢ユニット８０ｅの第２空間８７ｅに流入される。
【００９５】
図４６乃至図４９を参照すれば、植木鉢ユニット８０ｆは、第１連結部８７ｆと、第２連結部８６ｆと、２つの連結部８６ｆ、８７ｆの間に位置する栽培部８５ｆとを備える。第１連結部８７ｆには、分離壁８７１ｆを間に置いて左右に位置する第１空間８８ｆと第２空間８９ｆが設けられる。第１空間８８ｆの底部には、排水孔８８１ｆが設けられる。第１空間８８ｆと栽培部８５ｆの栽培空間８４ｆとの間には、排出通路８８２ｆが設けられ、第２空間８９ｆと栽培部８４ｆの栽培空間８４ｆとの間には、流入通路８１ｆが設けられる。栽培部８５ｆの内部空間は、水が収容される栽培空間８４ｆと、空きの隔離空間８９ｆとで構成される。栽培空間８４ｆは、並んで延長された第１カラム８４１ｆと第２カラム８４２ｆとを備える。各カラム８４１ｆ、８４２ｆは、第１連結部８７ｆと第２連結部８６ｆとの間に長く延長され、その構成は、図４５に示された例のように、水がジグザグ状に流れることができるように形成されている。第１カラム８４１ｆは、第１連結部８７ｆ側で排出通路８８２ｆと連結され、第２カラム８４２ｆは、第１連結部８７ｆ側で流入通路８１ｆと連結される。第１カラム８４１ｆの終端と第２カラム８４２ｆの終端は、第２連結部８６ｆの内部空間８６１ｆと連結され、互いに連通する。隔離空間８９１ｆは、第１連結部８７ｆと第２連結部８６ｆとの間に長く延長され、栽培空間８４ｆの第１カラム８４１ｆと第２カラム８４２ｆとの間に位置する。隔離空間８９１ｆを形成する外壁の一方の終端は、第１連結部８７ｆの分離壁８４１ｆと連結される。第１連結部８７ｆの第２空間８９ｆに流入された水は、栽培空間８４ｆの第２カラム８４２ｆと第１カラム８４１ｆを順に経って第１連結部８７ｆの第１空間８８ｆに流入され、第１空間８８ｆに設けられた排水孔８８１ｆを通じて下部に排水される。その以外の構成は、図４２乃至図４５
に示された実施例と同様なので、これについての詳細な説明は省略する。
【００９６】
図５０を参照すれば、胴体ユニット９０ｇと、植木鉢ユニット８０ｇと、連結ユニット９２ｇと、栽培キット１００ｇとが備えられる。図５０と図５１を参照すれば、胴体ユニット９０ｇは、柱部９１ｇと、収容部９４ｇと、ガイド部９６ｇとを備える。柱部９１ｇは、中空の円筒状に形成される。柱部９１ｇの内部空間に中心柱（図示せず）が通過する。収容部９４ｇは、柱部９１ｇの上部外側に水が収容されるように、底部９４１ｇと側壁９４３ｇとを備える。底部９４１ｇには、排水孔９４２ｇが設けられ、収容部９４ｇの水が排水孔９４２ｇを通じて下部に排水されるように底部９４１ｇは傾いている。ガイド部９６ｇは、柱部９１ｇから接線方向に延長された平行な２つのガイド壁９６１ｇ、９６２ｇを備える。収容部９４ｇの排水孔９４２ｇは、２つのガイド壁９６１ｇ、９６２ｇの外側に連結される。ガイド部９６ｇに植木鉢ユニット８０ｇまたは連結ユニット９２ｇが嵌着される。図５０と図５２を参照すれば、植木鉢ユニット８０ｇは、栽培部８５ｇと、連結部８７ｇとを備える。栽培部８５ｇには、図５４に示された形態の栽培キット１００ｇが挿入される。連結部８７ｇの外壁は、胴体ユニット９０ｇのガイド部９６ｇに嵌挿され得るように溝８７１ｇを形成する。水位調節部材８３ｇが排出通路８４ｇの高さを調節するように脱着可能である。その以外の構造は、図２８に示された植木鉢ユニットとほぼ同様である。図５０及び図５３を参照すれば、連結ユニット９２ｇは、植木鉢ユニット８０ｇの連結部８７ｇの構成とほぼ同様である。
【００９７】
図５６乃至図５８を参照すれば、植木鉢ユニット８０ｈは、図２８に示す植木鉢ユニット８０を変形させた形態であって、突出部８１１ｈが円柱形状に形成され、連結部８７ｈの外壁８７１ｈは、挿入溝８７２ｈと連結された壁が溝８７２ｈの延長線８７３ｈと傾斜角Ａを有するように形成される。本実施例では、傾斜角Ａが６０度であると説明しているが、本発明は、これに限定されるものではない。このような構成によって、植木鉢ユニット８０ｈは、図５８に示されたように、１２０度の間隔で積層されることができる。
【００９８】
前記実施例では、多層構造の水貯蔵装置が植物栽培装置として使用されるものと説明したが、本発明は、これに限定されるものではない。本発明による多層構造の水貯蔵装置は、水質濾過装置や観賞及び造景製品、そして観賞魚水槽など他の用途として使用されることができ、このような使用は、本発明に属するものであることを当業者なら理解することができるだろう。
【００９９】
前記実施例で、積層ユニット、すなわち植木鉢ユニットと連結ユニットは、アクリルで製作される。しかし、本発明は、これに限定されるものではない。積層ユニットは、アクリル以外にガラスや合成樹脂など他の材質からなることができる。
前記実施例では、水がポンプにより自動に供給されるものとして説明したが、本発明は、これに限定されるものではない。手動で上端に水を供給することによって、水が各栽培部に供給されることができる。
【０１００】
前記実施例では、光触媒物質をビーズにコーティングして使用されるものとして説明したが、本発明は、これに限定されるものではない。積層ユニットや基台の壁面に光触媒物質を直接コーティングして使用することができる。
【０１０１】
以上、本発明を前記実施例により説明したが、本発明は、これに限定されるものではない。当業者なら、本発明の趣旨及び範囲を逸脱することなく、修正、変更をすることができ、このような修正や変更も本発明に属するものであることが分かるだろう。
【図面の簡単な説明】
【０１０２】
【図１】本発明の一実施例に係る多層構造の水貯蔵装置である植物栽培装置の斜視図である。
【図２】図１に示す植物栽培装置の断面図である。
【図３】図１に示す植木鉢ユニットの斜視図である。
【図４】図３に示す植木鉢ユニットの平面図である。
【図５】図３に示す植木鉢ユニットをＡ−Ａ’線に沿って切断して示す断面図である。
【図６】図３に示す植木鉢ユニットをＢ−Ｂ’線に沿って切断して示す断面図である。
【図７】図１に示す連結ユニットの斜視図である。
【図８】図７に示す連結ユニットの平面図である。
【図９】図２に示す栽培キットの斜視図である。
【図１０】図１に示す植木鉢ユニットの平面図であり、連結された２つの植木鉢ユニットの位置関係を概略的に示す図である。
【図１１】図１に示す植木鉢ユニットの他の実施例であり、連結された２つを共に示す図である。
【図１２】図１１に示す植木鉢ユニットの平面図である。
【図１３】図１１に示す植木鉢ユニットをＣ−Ｃ’線に沿って切断して示す断面図である。
【図１４】図１１に示す植木鉢ユニットの平面図であり、連結された２つの植木鉢ユニットの位置関係を概略的に示す図である。
【図１５】図１に示す植木鉢ユニットのさらに他の実施例の斜視図である。
【図１６】図１５に示す植木鉢ユニットをＤ−Ｄ’線に沿って切断して示す断面図であり、連結された２つを共に示す図である。
【図１７】本発明の他の実施例に係る植物栽培装置の一部を示す斜視図である。
【図１８】図１７に示す植木鉢ユニットの斜視図である。
【図１９】本発明のさらに他の実施例に係る植物栽培装置を示す斜視図である。
【図２０】図１９に示す植木鉢ユニットの斜視図である。
【図２１】図１９に示す植木鉢ユニットの他の実施例の斜視図である。
【図２２】図１に示す植木鉢ユニットの他の実施例の斜視図である。
【図２３】図１に示す植木鉢ユニットのさらに他の実施例の斜視図である。
【図２４】図１に示す植木鉢ユニットのさらに他の実施例の斜視図である。
【図２５】図１に示す植木鉢ユニットのさらに他の実施例の斜視図である。
【図２６】本発明のさらに他の実施例に係る植物栽培装置を示す斜視図である。
【図２７】本発明のさらに他の実施例に係る植物栽培装置の一部を示す（ａ）側面図及び（ｂ）平面図である。
【図２８】図２７の植木鉢ユニットを示す図であり、（ａ）は、平面図であり、（ｂ）は、Ａ’−Ａ”線に沿って切断した断面図であり、（ｃ）は、Ｂ’−Ｂ”線に沿って切断した断面図である。
【図２９】本発明のさらに他の実施例に係る植物栽培装置の一部を示す（ａ）は、側面図及び（ｂ）は、平面図である。
【図３０】図２９の植木鉢ユニットを示す図であり、（ａ）は、平面図であり、（ｂ）は、Ａ’−Ａ”線に沿って切断した断面図であり、（ｃ）は、Ｂ’−Ｂ”線に沿って切断した断面図であり、（ｄ）は、Ｃ’−Ｃ”線に沿って切断した断面図である。
【図３１】本発明の他の実施例に係る植木鉢ユニットを示す図であり、（ａ）は、平面図であり、（ｂ）は、Ｘ’−Ｘ”線に沿って切断した断面図であり、（ｃ）は、Ｙ’−Ｙ”線に沿って切断した断面図である。
【図３２】本発明のさらに他の実施例に係る植木鉢ユニットを示す平面図である。
【図３３】本発明のさらに他の実施例に係る植物栽培装置の一部を示す（ａ）は、側面図及び（ｂ）は、平面図である。
【図３４】図３３の植木鉢ユニットを示す図であり、（ａ）は、平面図であり、（ｂ）は、側断面図である。
【図３５】本発明のさらに他の実施例に係る植物栽培装置の一部を示す（ａ）は、側面図及び（ｂ）は、平面図である。
【図３６】図３５の植木鉢ユニットを示す図であり、（ａ）は、平面図であり、（ｂ）は、側断面図である。
【図３７】本発明のさらに他の実施例に係る植物栽培装置の一部を示す側断面図である。
【図３８】図３７の植木鉢ユニットを示す図であり、（ａ）は、平面図であり、（ｂ）は、側断面図である。
【図３９】図３７の給水ユニットを示す図であり、（ａ）は、平面図であり、（ｂ）は、側断面図である。
【図４０】図３７の上部連結ユニットを示す図であり、（ａ）は、平面図であり、（ｂ）は、側断面図である。
【図４１】図３７の下部連結ユニットを示す図であり、（ａ）は、平面図であり、（ｂ）は、側断面図である。
【図４２】本発明のさらに他の実施例に係る植物栽培装置の一部を示す斜視図である。
【図４３】図４２に示す装置の分解斜視図である。
【図４４】図４２に示す植木鉢ユニットの斜視図である。
【図４５】図４４に示す植木鉢ユニットの平面図である。
【図４６】本発明のさらに他の実施例に係る植物栽培装置の一部を示す斜視図である。
【図４７】図４６に示す装置の分解斜視図である。
【図４８】図４６に示す植木鉢ユニットの斜視図である。
【図４９】図４８に示す植木鉢ユニットの平面図である。
【図５０】本発明のさらに他の実施例に係る植物栽培装置の一部を示す斜視図である。
【図５１】図５０に示す胴体ユニットを示す図である。
【図５２】図５０に示す植木鉢ユニットを示す図である。
【図５３】図５０に示す連結ユニットを示す図である。
【図５４】図５０に示す栽培ユニットを示す図である。
【図５５】図５２に示す水位調節部材の斜視図である。
【図５６】本発明のさらに他の実施例に係る植木鉢ユニットの斜視図である。
【図５７】（ａ）は、図５６の植木鉢ユニットの平面図であり、（ｂ）は、図５６の植木鉢ユニットの側面図である。
【図５８】図５６の植木鉢ユニットが３つ積層された状態を示す平面図である。
【符号の説明】
【０１０３】
１０          水貯蔵装置
１０ｒ        植物栽培装置
１００        栽培キット
１００ｅ      栽培キット
１００ｊ      栽培キット
１００ｇ      栽培キット
１００ｐ      栽培キット
１００ｑ      栽培キット
１０１        円輪状部
１０２        支持台
１０３        植物
１１０        延長軸線
２０          基台
２００ｒ      照明器具
２１          内部空間
２２          底板
２３          挿入通路
２３２        突出部
２４          上板
２５          収容溝
２６          側壁
２７          連結通路
３０          植木鉢ユニット（積層ユニット又は貯蔵ユニット）
３０ａ        植木鉢ユニット
３０ｂ        植木鉢ユニット
３０ｃ        植木鉢ユニット
３０ｄ        植木鉢ユニット
３０ｅ        植木鉢ユニット
３０ｆ        植木鉢ユニット
３０ｇ        植木鉢ユニット
３０ｈ        植木鉢ユニット
３０ｊ        植木鉢ユニット
３０ｋ        植木鉢ユニット
３１          栽培空間
３１ａ        栽培空間
３１ｅ        栽培空間
３１ｋ        栽培空間
３１ｐ        栽培空間
３１ｑ        栽培空間
３２          栽培部（貯蔵部）
３２ｃ        栽培部
３２ｅ        栽培部
３２ｇ        栽培部
３２ｋ        栽培部
３２ｍ        栽培部
３２ｐ        栽培部
３２ｑ        栽培部
３２１        底板
３２２        側壁
３３          流入通路
３３ａ        流入通路
３３ｅ        開口
３３ｋ        流入通路
３４          連結部
３４ｃ        連結部
３４ｅ        連結部
３４ｇ        連結部
３４ｈ        連結部
３４ｊ        栽培部
３４ｋ        連結部
３４ｍ        連結部
３４ｐ        連結部
３４ｑ        連結部
３４１        底板
３４１ｅ      底部
３４２        側壁
３４３        分離壁
３４３ｅ      分離壁
３４３ｋ      分離壁
３４４        排水孔
３４４ａ      排水孔
３４４ｃ      排水孔
３４４ｅ      排水孔
３４５        突出部
３４５ｇ      突出部
３４５ｈ      突出部
３５          排出通路
３５ａ        排出通路
３５ｅ        排出通路
３５ｋ        排出通路
３６          第２空間
３６ａ        第２空間
３６ｂ        第２空間
３６ｃ        第２空間
３６ｄ        第２空間
３６ｅ        第２空間
３６ｆ        第２空間
３６ｇ        第２空間
３６ｋ        第２空間
３７          通路
３７ｅ        通路
３７ｇ        通路
３７ｈ        通路
３７１ｈ      内側部分
３８          第１空間
３８ａ        第１空間
３８ｃ        第１空間
３８ｅ        第１空間
３８ｇ        第１空間
３８ｋ        第１空間
３９          挿入柱
３９ｃ        通路柱
３９ｅ        通路柱
３９２ｈ      カバー
３９３ｈ      挿入孔
４０          連結ユニット（積層ユニット又は貯蔵ユニット）
４０ｋ        連結ユニット
４５ｋ        通路柱
４９          挿入部
５０          柱
５０ｈ        柱
５０ｒ        柱
５６          移送管
６０          水中ポンプ
７０          光触媒ビーズ
８０          植木鉢ユニット
８０ａ        植木鉢ユニット
８０ｂ        植木鉢ユニット
８０ｃ        植木鉢ユニット
８０ｄ        植木鉢ユニット
８０ｅ        植木鉢ユニット
８０ｆ        植木鉢ユニット
８０ｇ        植木鉢ユニット
８０ｈ        植木鉢ユニット
８１          連結部
８１ａ        連結部
８１ｂ        連結部
８１ｃ        連結部
８１ｄ        連結部
８１ｅ        流入通路
８１ｆ        流入通路
８１１        第１結合用突出部
８１１ｂ      第１突出部
８１１１ｂ    突起
８１１ｄ      突出部
８１１ｈ      突出部
８１２        第２結合用突出部
８１２ｂ      第２突出部
８１３        第３結合用突出部
８１３ｂ      第３突出部
８１３１      突起
８１４        第４結合用突出部
８２          流入通路
８２ａ        流入通路
８２ｂ        流入通路
８２ｅ        分割壁
８２１ｄ      中心柱
８３          排水孔
８３ａ        排水孔
８３ｂ        排水孔
８３ｄ        排出孔
８３ｅ        水位調節部材
８３ｇ        水位調節部材
８４          排出道路
８４ａ        排水通路
８４ｄ        排出通路
８４ｅ        栽培空間
８４ｆ        栽培空間
８４ｇ        排出通路
８４１        栽培区域
８４１ｅ      栽培区域
８４１ｆ      第１カラム
８４２ｆ      第２カラム
８５          高さ調節壁
８５ｅ        高さ調整壁
８５ｆ        栽培部
８５ｇ        栽培部
８６          栽培部
８６ａ        栽培部
８６ｄ        栽培部
８６ｅ        第２連結部
８６ｆ        第２連結部
８６１ａ      第１栽培空間
８６１ｂ      栽培空間
８６１ｃ      栽培空間
８６１ｅ      第１栽培空間
８６１ｆ      栽培空間
８６２ａ      第２栽培空間
８６２ｅ      第２栽培空間
８６３ａ      第３栽培空間
８６３ｅ      第３栽培空間
８６４ａ      第４栽培空間
８６４ｅ      第４栽培空間
８７ｅ        第１連結部
８７ｆ        第１連結部
８７ｇ        連結部
８７ｈ        連結部
８７１ｅ      分離壁
８７１ｆ      分離壁
８７１ｇ      溝
８７１ｈ      外壁
８７２ｈ      挿入溝
８７３ｅ      区切り壁
８７３ｈ      延長線
８８          第１空間
８８ａ        第１空間
８８ｂ        第１空間
８８ｄ        第１空間
８８ｅ        第１空間
８８ｆ        第１空間
８８１        第１延長部
８８１ｅ      排水孔
８８１ｆ      排水孔
８８２        第２延長部
８８２ｅ      排出通路
８８２ｆ      排出通路
８９          第２空間
８９ａ        第２空間
８９ｂ        第２空間
８９ｅ        第２空間
８９ｆ        第２空間
８９１ｆ      隔離空間
９０ｂ        第３空間
９０ｅ        連結ユニット
９０ｇ        胴体ユニット
９１ｄ        給水ユニット
９１２ｄ      支持板
９１２１ｄ    フランジ
９１３ｄ      第１側壁
９１３１ｄ    スリット
９１４ｄ      第２側壁
９１４１ｄ    水案内溝
９１ｇ        柱部
９２          連結ユニット
９２ｄ        上部連結ユニット
９２ｅ        連結ユニット
９２ｇ        連結ユニット
９２１ｄ      支持板
９２１１ｄ    連結通路
９２２ｄ      中心柱
９２３ｄ      外郭壁
９４ｄ        下部連結ユニット
９４１ｄ      支持板
９４１１ｄ    連結通路
９４１２ｄ    突出部
９４２ｄ      中心柱
９４ｇ        収容部
９４１ｇ      底部
９４２ｇ      排水孔
９４３ｇ      側壁
９６ｇ        ガイド部
９６１ｇ      ガイド壁
９６２ｇ      ガイド壁
【図１】
2010094026.tif 000003
【図２】
2010094026.tif 000004
【図３】
2010094026.tif 000005
【図４】
2010094026.tif 000006
【図５】
2010094026.tif 000007
【図６】
2010094026.tif 000008
【図７】
2010094026.tif 000009
【図８】
2010094026.tif 000010
【図９】
2010094026.tif 000011
【図１０】
2010094026.tif 000012
【図１１】
2010094026.tif 000013
【図１２】
2010094026.tif 000014
【図１３】
2010094026.tif 000015
【図１４】
2010094026.tif 000016
【図１５】
2010094026.tif 000017
【図１６】
2010094026.tif 000018
【図１７】
2010094026.tif 000019
【図１８】
2010094026.tif 000020
【図１９】
2010094026.tif 000021
【図２０】
2010094026.tif 000022
【図２１】
2010094026.tif 000023
【図２２】
2010094026.tif 000024
【図２３】
2010094026.tif 000025
【図２４】
2010094026.tif 000026
【図２５】
2010094026.tif 000027
【図２６】
2010094026.tif 000028
【図２７】
2010094026.tif 000029
【図２８】
2010094026.tif 000030
【図２９】
2010094026.tif 000031
【図３０】
2010094026.tif 000032
【図３１】
2010094026.tif 000033
【図３２】
2010094026.tif 000034
【図３３】
2010094026.tif 000035
【図３４】
2010094026.tif 000036
【図３５】
2010094026.tif 000037
【図３６】
2010094026.tif 000038
【図３７】
2010094026.tif 000039
【図３８】
2010094026.tif 000040
【図３９】
2010094026.tif 000041
【図４０】
2010094026.tif 000042
【図４１】
2010094026.tif 000043
【図４２】
2010094026.tif 000044
【図４３】
2010094026.tif 000045
【図４４】
2010094026.tif 000046
【図４５】
2010094026.tif 000047
【図４６】
2010094026.tif 000048
【図４７】
2010094026.tif 000049
【図４８】
2010094026.tif 000050
【図４９】
2010094026.tif 000051
【図５０】
2010094026.tif 000052
【図５１】
2010094026.tif 000053
【図５２】
2010094026.tif 000054
【図５３】
2010094026.tif 000055
【図５４】
2010094026.tif 000056
【図５５】
2010094026.tif 000057
【図５６】
2010094026.tif 000058
【図５７】
2010094026.tif 000059
【図５８】
2010094026.tif 000060